(57)【特許請求の範囲】
【請求項１】
眉毛のカットで眉の形を整える眉用かみそりであって、眉毛のカット用の刃に沿って該刃の刃先の両側に並ぶとともに刃よりも突出する櫛歯を備えており、この櫛歯は肌に当接する先端を結ぶ線と刃の刃先線とが交差して、刃の刃先から櫛歯の先端までの距離が刃先線に沿って漸次変化するとともに、櫛歯の先端に屈曲された起毛突起を備えていることを特徴とする眉用かみそり。
【請求項２】
刃の両側に並ぶ櫛歯は先端同士が互いにつながっていることを特徴とする請求項１記載の眉用かみそり。
【請求項３】
櫛歯の肌に当接する先端を結ぶ線と刃の刃先線とがなす角度が可変となっていることを特徴とする請求項１記載の眉用かみそり。
【請求項４】
櫛歯における肌に当接する先端が、刃の側方であることを特徴とする請求項１記載の眉用かみそり。
【請求項５】
互いに逆方向を向いた２つの刃を備えるとともに、各刃の片側に夫々櫛歯が設けられていることを特徴とする請求項１記載の眉用かみそり。
【請求項６】
櫛歯の先端が当接する肌から垂直方向に把持部が伸びていることを特徴とする請求項１記載の眉用かみそり。
【請求項７】
把持部の後端に押し込み方向が把持部の長手方向である押釦スイッチを備えていることを特徴とする請求項６記載の眉用かみそり。
【請求項８】
櫛歯の先端を結ぶ線と櫛歯間のスリットとがほぼ直交していることを特徴とする請求項１記載の眉用かみそり。
【請求項９】
スリットがＪ字形に屈曲していることを特徴とする請求項８記載の眉用かみそり。
【請求項１０】
刃の刃先線と櫛歯間のスリットとのなす角度がほぼ直角であることを特徴とする請求項９記載の眉用かみそり。
【請求項１１】
櫛歯の先端を結ぶ線に対して櫛歯間のスリットが傾いていることを特徴とする請求項１記載の眉用かみそり。
【請求項１２】
櫛歯の先端を結ぶ線と櫛歯間のスリットとのなす角度が約１２０°であることを特徴とする請求項１１記載の眉用かみそり。
【請求項１３】
刃の刃先線と櫛歯間のスリットとのなす角度が約５５°であることを特徴とする請求項１１または１２記載の眉用かみそり。
【請求項１４】
櫛歯間のスリットに対して刃の刃先線が傾斜しているとともに、櫛歯状である刃の各刃溝はスリットと同方向に開口していることを特徴とする請求項１記載の眉用かみそり。
【請求項１５】
眉の上縁または下縁の生え際への位置合わせのための標を備えていることを特徴とする請求項１記載の眉用かみそり。
【発明の詳細な説明】
【０００１】
【産業上の利用分野】
本発明はかみそり、殊に眉の形を整えるために用いるかみそりに関するものである。
【０００２】
【従来の技術】
眉毛のカットのための電気かみそりとしては、女性の顔剃り用として形成されている電気かみそりが用いられているとともに、この時、眉毛の切り過ぎを防ぐために、眉用のアタッチメントを装着して行うことが一般的である。
実開昭６２−１０４７６２号公報における一例を図２９に示す。櫛歯状の固定刃と同じく櫛歯状であって固定刃に対して摺接駆動される可動刃とからなる刃２が本体１先端のヘッド部１０の側面に配された電気かみそりは、顔の産毛や襟足の毛のカットに使用されるものであり、この電気かみそりを用いて眉の形を整えるにあたっては、アタッチメント３をヘッド部１０に装着するようになっている。
【０００３】
このアタッチメント３は、ヘッド部１０に被せられた時、刃２の刃先の両側に並ぶ多数本の櫛歯３０を備えたもので、図３０に示すように、ヘッド部１０に装着したアタッチメント３の櫛歯３０の先端を肌に当てて刃２を肌から離した状態で眉毛のカットを行う。
【０００４】
【発明が解決しようとする課題】
ここにおいて、眉毛９は、その上縁及び下縁から夫々上下方向中央に向けて、また眉頭から眉尻に向けて生えており、上下方向中央部において肌から最も高くなっている。しかるに、従来のものでは、アタッチメント３における各櫛歯３０が同じ長さのものとなっており、櫛歯３０の先端を結ぶ線Ｌ１と、刃２の刃先線Ｌ２との間隔が各部で同じであることから、このアタッチメント３を用いて眉毛９をカットした場合、図３１に示すように眉が台形状に仕上がってしまうものであり、この場合、眉の上下方向中央部が薄く見えてしまうという問題がある。
【０００５】
本発明はこのような点に鑑み為されたものであり、その目的とするところは眉をきれいに仕上げることが容易に行える眉用かみそりを提供するにある。
【０００６】
【課題を解決するための手段】
しかして本発明は、眉毛のカットで眉の形を整える眉用かみそりにおいて、眉毛のカット用の刃に沿って該刃の刃先の両側に並ぶとともに刃よりも突出する櫛歯を備えており、この櫛歯は肌に当接する先端を結ぶ線と刃の刃先線とが交差して、刃の刃先から櫛歯の先端までの距離が刃先線に沿って漸次変化するとともに、櫛歯の先端に屈曲された起毛突起を備えていることに特徴を有している。
【０００７】
【作用】
本発明によれば、眉の上縁や下縁では眉毛の刈り高さを低く、中央では眉毛の刈り高さを高くカットすることを容易に行うことができるとともに、櫛歯の先端に屈曲された起毛突起を設けているので、起毛角度が小さい眉毛も確実に起こすことができる。
この時、刃の刃先の両側に櫛歯を設けているので、左右の眉の各上辺側及び下辺側のカットに共に対応することができ、刃の刃先の両側に並ぶ櫛歯の先端同士を互いにつないでおけば、櫛歯で起こした眉毛が刃に達するまでに倒れてしまうことがなくなる。
【０００８】
櫛歯の肌に当接する先端を結ぶ線と刃の刃先線とがなす角度を可変としている時には、カットの際の角度を適宜変更することができる。
櫛歯における肌に当接する先端が刃の側方であっても、また互いに逆方向を向いた２つの刃の各片側に櫛歯を設けたものであっても、やはり眉毛の刈り高さをその場所に応じて適切に保つことができる。
【０００９】
櫛歯の先端が当接する肌から垂直方向に把持部が伸びている形態を持つ時、把持部が視界の邪魔になることがないものとなり、更に把持部の後端に押し込み方向が把持部の長手方向である押釦スイッチを設けておけば、スイッチ操作で櫛歯の位置がずれてしまったりすることがないものとなる。
そして、櫛歯の先端を結ぶ線と櫛歯間のスリットとをほぼ直交させておけば、眉毛の刃への導入効率が最も高くなり、スリットをＪ字形に屈曲したものとすれば、刃の刃先線と櫛歯間のスリットとのなす角度をほぼ直角とすることができるために、切断効率も高くなる。
【００１０】
櫛歯の先端を結ぶ線に対して櫛歯間のスリットを傾けても、切断効率を向上させることができ、特に、櫛歯の先端を結ぶ線と櫛歯間のスリットとのなす角度を約１２０°に、刃の刃先線と櫛歯間のスリットとのなす角度を約５５°にすれば、眉毛の導入効率と切断効率とを共に高く保つことができる。
櫛歯間のスリットに対して刃の刃先線を傾斜させるとともに、櫛歯状である刃の各刃溝をスリットと同方向に開口するものとしても、切断効率を高くすることができる。
【００１１】
眉の上縁または下縁の生え際への位置合わせのための指標を設けておく時には、カット作業を容易に行うことができる。
【００１２】
【実施例】
以下本発明を眉についてはアタッチメントの装着で対応する場合の実施例に基づいて詳述すると、図１において、モータを内蔵する筒状の本体１の先端に設けたヘッド部１０の側面に、櫛歯状の固定刃と同じく櫛歯状であって上記モータによる往復直線駆動で固定刃に対して摺接駆動される可動刃とからなる刃２を配設してある。この刃２は、顔の産毛や襟足の毛のカットに適応させたものであるが、刃２の構造はこのタイプのものに限るものではなく、たとえば多数の刃孔が形成されている網状の外刃とこの外刃内面に摺接する複数の内刃とからなるタイプのものであってもよい。
【００１３】
眉毛のカットに際して使用されるアタッチメント３は、前記従来例のものと同様に、ヘッド部１０に被せられるものとして形成されているとともに、ヘッド部１０に装着した時、刃２の刃先の両側に夫々並ぶ多数本の櫛歯３０を備えている。また、二列で並んでいる櫛歯３０は、その長さが一定ではなく、ヘッド部１０の先端側に位置する櫛歯３０が最も短く、ヘッド部１０の根元側に位置する櫛歯３０が最も長くなっているとともに、この間の櫛歯３０はその長さが徐々に変化するものとなっている。このために、各列における櫛歯３０の先端を結ぶ線Ｌ１と、刃２の刃先線Ｌ２とは、所要の角度で交差するものとなっているとともに、ヘッド部１０の長手方向において、刃２の刃先と、櫛歯３０の先端との間隔が漸次変化するものとなっている。
【００１４】
このアタッチメント３を装着して眉をカットする場合、眉の上辺側については図２に示すようにヘッド部１０の先端側が上となるようにして、また眉の下辺側については図３に示すようにヘッド部１０の先端側が下となるようにして、アタッチメント３の櫛歯３０の先端を肌に当てつつ、図４に示すように、眉の眉尻側から眉頭側へと眉毛９の流れに逆らうように電気かみそりを移動させて眉毛９を櫛歯３０で起毛させながらカットするものであり、この時、櫛歯３０の先端と刃２の刃先との間隔が刃２の長手方向において異なっていることから、眉の上縁及び下縁において眉毛は最も短く切断され、上下方向中央部においては長くカットされる。従って、このようにして眉毛９がカットされた眉は、図５に示すように、きれいな三角形状に仕上げられる。また、櫛歯３０が刃２の両側に設けられているために、左右の眉の上辺側及び下辺側のカットに対して、このアタッチメント３のみで対応することができる。
【００１５】
刃２の両側に並ぶ櫛歯３０の先端を、図６に示すように、外側に広がるように湾曲させて起毛突起３１を設けているので、眉毛９を刃２に導入するにあたり、図７に示すように、櫛歯３０の起毛突起３１が起毛角度の小さい眉毛９を確実に起こすことから、眉毛９のカット効率が高くなる。
櫛歯３０の根元は、図８に示すように、この部分と刃２の刃先とを結ぶ延長線Ｍの外側に櫛歯３０の先端が位置するようにしておくことが望ましい。櫛歯３０と肌との接触点より内側に入ってきた眉毛９の先端が櫛歯３０の根元で肌側へと押されて刃２でカットされないことが生じないようにするためである。
【００１６】
刃２の両側に並ぶ２列の櫛歯３０の先端同士を図９、あるいは図１０に示すように一体に接続してしまってもよい。櫛歯３０で起こされた眉毛９は、刃２でカットされるまでに櫛歯３０から離れると、その時点で元に戻ろうとするために、刃２でカットできないことが生じるが、刃２の両側に並ぶ櫛歯３０の先端同士がつながっている場合、眉毛９を刃２に達するまで確実に立たせておくことができるために、効率よく眉毛９のカットを行うことができる。
【００１７】
図１１〜図１３に他の実施例を示す。ここではアタッチメント３を基台３４と櫛部３５とで構成してある。基台３４は電気かみそりのヘッド部１０への装着のための部分で、長手方向両端の両側面には夫々一側縁がクリックばね３８となった係合溝３６，３７を備えている。一方、櫛歯３０を備えた櫛部３５は、その内面にボス３９を備えており、このボス３９を基台３４の係合溝３６，３７に係合させることで基台３４に連結される。
【００１８】
ここにおいて、係合溝３６は直線状に、係合溝３７は弧状に形成されており、係合溝３６に係合させたボス３９を移動させることなく、係合溝３７に係合させたボス３９だけを移動させれば、刃２の刃先線Ｌ２と櫛歯３０の先端を結ぶ線Ｌ１とのなす角度を変更することができ、更に係合溝３６，３７に係合させたボス３９を同時に移動させれば、刃２の刃先と櫛歯３０の先端との間隔を変更することができる。従って、眉の刈り高さの調節並びに眉を三角形状に仕上げる時の角度の調節を行うことができる。
【００１９】
刃２がヘッド部１０の両側に設けられているタイプのものに対しては、図１４に示すように、両側方に櫛歯３０が突出するアタッチメント３を用意することで、眉のカットに対応することができるとともに、櫛歯３０の先端に起毛突起３１を設けたことで、各刃２の片側に夫々櫛歯３０を設けるだけで、右の眉と左の眉のカットに対応することができる。また、片側だけに櫛歯３０があることから、他方側側の櫛歯３０で眉毛９を押し倒すことがないものであり、このためにカット機能の安定化も得ることができる。
【００２０】
櫛歯３０の先端を結ぶ線Ｌ１と刃２の刃先線Ｌ２とを交差させるにあたり、櫛３０の先端が刃２の突出方向である必要はなく、たとえば、図１５に示すように、刃２の両側に位置する櫛歯３０の側方への張り出し寸法を変えるようにしてもよい。眉のカットに際しての刃２の向きが前記の実施例のものと異なることになるが、この場合も同様に眉毛９の適切なカットを行うことができる。
【００２１】
次に、図１６〜図２０に示す実施例について説明する。本体１はその内部にモータ１５と乾電池１６とを収納した筒状のものであり、先端側にはヘッド部１０が着脱自在に連結され、後端面には押釦スイッチ１８が配設されている。
ヘッド部１０は、図１７及び図１８に示すように、ホルダー４０，４１内に、モータ１５の回転運動を往復運動に変換する変換機構を組み込むとともに、ホルダー４０の先端部の片面に刃２を備えた刃基台５を取り付けることで構成されたもので、上記変換機構は、モータ１５の出力軸に取り付けられた継手１９に係合するカプラー４２と、カプラー４２に取り付けられたギア４３、軸５０によって回転自在に支持されるとともに上記ギア４３に噛み合うフェースギア４４、フェースギア４４に設けた偏心軸４５に一端を係合させた駆動レバー４６とからなるもので、駆動レバー４６はその他端に係合部４７を備えている。
【００２２】
一方、刃基台５は、刃２を構成する櫛歯状の固定刃２１と同じく櫛歯状の可動刃２２のうち、固定刃２１を固着するとともに可動刃２２をスライド自在に支持しているもので、ホルダー４０の先端部に設けられた軸４９によってホルダー４０に枢着されるとともに、ホルダー４１にスライド自在に装着された着脱釦４８によって固定されている。
【００２３】
そして、刃基台５をホルダー４０，４１に固定した時、可動刃２２に設けた係合部２３が上記駆動レバー４６の係合部４７と係合することで、可動刃２２と駆動レバー４６とが連結されるものであり、モータ１５を回転させたならば、偏心軸４５の偏心回転を駆動レバー４６が往復動に変換して可動刃２２に往復運動させる。なお、ヘッド部１０の先端部は、本体１の長手方向に対して斜めに傾いたものとして形成されており、刃２はヘッド部１０の斜め上方を向いた側縁に位置している。
【００２４】
この電気かみそりのヘッド部１０の先端部に装着されるアタッチメント３は、刃２の両側に位置するとともに先端に起毛突起３１が設けられた櫛歯３０を具備するもので、ヘッド部１０に装着された時、図２２から明らかなように、刃２の向きよりも更に斜め上方に向けて櫛歯３０が突出するものとなっており、更に各櫛歯３０の先端を結ぶ線Ｌ１は、図１６から明らかなように、本体１の長手方向に対して直交するものとなっている。図中３３は本体１の中心軸の延長上に設けられた位置合わせ表示、３４はヘッド部１０側に設けられたガイド溝５１に嵌まることでアタッチメント３のヘッド部１０への装着時のガイドを行うガイドリブであり、ガイド溝５１の延長上に位置するクリック突起５２がアタッチメント３内面に設けた係合凹部（図示せず）に係合することで、アタッチメント３は位置決めされる。
【００２５】
そして、このアタッチメント３においても、櫛歯３０の先端を結ぶ線Ｌ１と、刃２の刃先線Ｌ２とが所要の角度で交差するものとなっているために、眉の上辺側と下辺側とにおいて、異なる向きで櫛歯３の先端を肌に当てた状態で眉毛９の流れに逆らうように電気かみそりを移動させれば、眉毛９は櫛歯３０で起毛されるとともに刃２でカットされるものであり、この時、櫛歯３０の先端と刃２の刃先との間隔が刃２の長手方向において異なっていることから、眉の上縁及び下縁において眉毛は最も短く切断され、上下方向中央部においては長くカットされ、従って眉はきれいな三角形状に仕上げられる。
【００２６】
この時、上述のように、櫛歯３０の先端を結ぶ線Ｌ１と本体１の長手方向とが直交していることから、把持部である本体１を肌面に対して垂直に立てた状態、つまり本体１で視界を遮られない状態で使用することができるものであり、また上記位置合わせ表示３３を眉の上縁または下縁の生え際に合わせた状態を保つことで、眉毛９の刈り高さを眉の長手方向において一定とすることも、位置合わせ表示３３が本体１の中心軸の延長上に設けられていることもあって、容易に行うことができ、更にはモータ１５のオンオフのための押釦スイッチ１８が本体１の後端に配されるとともにその押し込み方向が本体１の長手方向となっていることから、櫛歯３０の先端を位置決めして肌に当てた後に駆動を開始する場合、スイッチ操作の反動で位置ずれが生じたり、本体１が軸方向にぶれたりすることがなく、この点においても使い使い勝手が良好なものである。
【００２７】
ところで、眉毛９の生え方は、図２３（ａ）に示すように、眉の上下縁から上下方向中央に眉毛９が向いたものとなっており、眉の形を整えつつカットするにあたっては、同図（ｂ）に示す刈り角度βをほぼ５０°とすることが好ましい。また、寝ている眉毛９を起こしてカットするにあたっては、肌に当たる櫛歯３０の先端を結ぶ線Ｌ１と、櫛歯３０間のスリットとがなす角度（起毛角度θ）とがほぼ９０°となるようにしておくと、刃２への眉毛９の導入効率が最も高くなる。
【００２８】
このために、図１に示した実施例などでは、図２４に示すように、起毛角度θがほぼ９０°となるようにしていたのであるが、この場合、櫛歯３０の先端を結ぶ線Ｌ１と刃２の刃先線Ｌ２とのなす角度がそのまま刈り角度βとなるとともに、眉毛９と刃２とのなす角度αは、９０°−βとなる。従って角度βとして５０°を設定すると、角度αは４０°の小さいものとなり、眉毛９と刃２とのなす角度αの切断効率において好ましい範囲を逸脱してしまう。
【００２９】
このために、図１６〜図２２に示した実施例においては、櫛歯３０間のスリットを櫛歯３０の先端を結ぶ線Ｌ１に対して傾けることで、起毛角度θを１２０°程度とするとともに、櫛歯３０間のスリット（眉毛９）と刃２の刃先線Ｌ２とがなす角度αを５５°程度に設定してある。図２６（ａ）に示すように、眉毛９を９０°以上起こして肌と刃２の刃先線Ｌ２とのなす角度が刈り角度βよりも大きな角度となる状態でカットを行うことで、眉毛９の起毛角度θが９０°の時の刈り角度βと等価となるようにしているわけである。このようにした場合、眉毛９の導入効率がさほど悪化しない上に、眉毛９と刃２の刃先線Ｌ２とがなす角度αを大きく保つことができて切断効率を高くとることができる。
【００３０】
アタッチメント３の櫛歯３０を図２７に示す屈曲させて櫛歯３０間のスリットがＪ字形となるようにすれば、眉毛９と刃２の刃先線Ｌ２とのなす角度αを最も好ましい角度である９０°に保ちつつ、起毛角度θも９０°とすることができる。図２８に示すように、共に櫛歯状である固定刃と可動刃とからなる刃２の刃先の溝の方向を、櫛歯３０間のスリットの方向と一致させても、切断効率を高く保つことができる。
【００３１】
【発明の効果】
以上のように本発明においては、眉毛のカット用の刃に沿って該刃の刃先の両側に並ぶとともに刃よりも突出している櫛歯を、肌に当接する先端を結ぶ線が刃の刃先線に交差して、刃の刃先から櫛歯の先端までの距離が刃先線に沿って漸次変化するものとしていることから、眉の上縁や下縁では眉毛の刈り高さを低く、中央では眉毛の刈り高さを高くしてカットすることを容易に行うことができるものであり、このために断面三角形状に眉の形を整えることが簡単に行えるものである。また、櫛歯の先端に屈曲された起毛突起を設けたことで、起毛角度が小さい眉毛を起こすことがより確実になされる。
【００３２】
そして、刃の刃先の両側に夫々櫛歯を設けてあるので、左右の眉の各上辺側及び下辺側のカットに共に対応することができるものとなり、刃の両側に並ぶ櫛歯の先端同士を互いにつないでおけば、櫛歯で起こした眉毛が再度倒れることなく刃まで導かれるものとなるために、眉毛の導入切断効率が高くなる。
【００３３】
櫛歯の肌に当接する先端を結ぶ線と刃の刃先線とがなす角度を可変としてもよい。この場合、カットの際の眉毛の刈り高さの変化角度を使用者の好みに応じて変更することができる。
櫛歯における肌に当接する先端が刃の側方であっても、好ましい形に眉を整えることができ、互いに逆方向を向いた２つの刃の各片側に櫛歯を設けたものであっても、やはり眉毛の刈り高さを適切に保ってカットすることができるとともに、左右の眉の各上辺側及び下辺側のカットに共に対応することができる。
【００３４】
櫛歯の先端が当接する肌から垂直方向に把持部が伸びている形態を持つ時、把持部が視界の邪魔になることがないために、カット作業を的確に行うことができ、更に把持部の後端に押し込み方向が把持部の長手方向である押釦スイッチを設けておけば、スイッチ操作で櫛歯の位置がずれたりぶれたりしてしまったりすることがないために、使い勝手が更によくなる。
【００３５】
そして、眉毛の刃への導入効率を最も高くするには、櫛歯の先端を結ぶ線と櫛歯間のスリットとをほぼ直交させておくことが好ましいが、この時には刃の刃先線と櫛歯間のスリットとのなす角度が小さくなって切断効率が低下してしまう。しかし、この切断効率の低下については、スリットをＪ字形に屈曲したものとすることで、対処することができるとともに、切断効率が最も高くなる刃の刃先線と櫛歯間のスリットとのなす角度がほぼ直角の状態とすることもできる。
【００３６】
櫛歯の先端を結ぶ線に対して櫛歯間のスリットを傾けてもよく、この場合、櫛歯の先端を結ぶ線と櫛歯間のスリットとのなす角度を約１２０°に、刃の刃先線と櫛歯間のスリットとのなす角度を約５５°にすれば、眉毛の導入効率と切断効率とを共に高く保つことができる。
櫛歯間のスリットに対して刃の刃先線を傾斜させるとともに、櫛歯状である刃の各刃溝をスリットと同方向に開口するものとしても、眉毛が刃溝に入りやすくなるために、やはり切断効率を高くすることができる。
【００３７】
眉の上縁または下縁の生え際への位置合わせのための指標を設けておく時には、カット作業を容易に行うことができて使い勝手が良好となる。
【図面の簡単な説明】
【図１】本発明の一実施例を示すもので、（ａ）は分解斜視図、（ｂ）は断面図である。
【図２】同上の使用状態を示す側面図である。
【図３】同上の使用状態を示す側面図である。
【図４】同上の使用状態を示す斜視図である。
【図５】同上によるカット後の眉の状態を示す側面図である。
【図６】他の実施例の斜視図である。
【図７】同上の部分斜視図である。
【図８】同上の断面図である。
【図９】他例の破断斜視図である。
【図１０】別の例の破断斜視図である。
【図１１】他の実施例におけるアタッチメントの分解斜視図である。
【図１２】同上の動作を示す側面図である。
【図１３】同上の側面図である。
【図１４】別の実施例を示すもので、（ａ）は断面図、（ｂ）は斜視図である。
【図１５】更に他の実施例を示すもので、（ａ）は正面図、（ｂ）は断面図、（ｃ）は側面図である。
【図１６】別の実施例の破断側面図である。
【図１７】同上のヘッド部の分解斜視図である。
【図１８】同上のヘッド部の刃基台を開くとともに片側のホルダーを外した状態の正面図である。
【図１９】同上のヘッド部の斜視図である。
【図２０】同上のアタッチメント装着時のヘッド部の斜視図である。
【図２１】同上のアタッチメントを示すもので、（ａ）は平面図、（ｂ）は正面図、（ｃ）は底面図である。
【図２２】同上のアタッチメント装着時のヘッド部の破断側面図である。
【図２３】（ａ）は眉毛の生え方の説明図、（ｂ）は刈り角度の説明図である。
【図２４】櫛歯の方向と刈り角度並びに眉毛と刃とのなす角度の説明図である。
【図２５】櫛歯の方向と刈り角度並びに眉毛と刃とのなす角度の説明図である。
【図２６】（ａ）（ｂ）はカット時とカット後の眉毛の状態を示す説明図である。
【図２７】櫛歯の他例を示す正面図である。
【図２８】他例の刃を備えたものにおける破断側面図である。
【図２９】従来例の斜視図である。
【図３０】同上の使用状態を示す側面図である。
【図３１】同上によるカット後の眉の状態を示す側面図である。
【符号の説明】
２  刃
３０  櫛歯
【図１】
0003593714.tif 000002
【図２】
0003593714.tif 000003
【図３】
0003593714.tif 000004
【図４】
0003593714.tif 000005
【図５】
0003593714.tif 000006
【図６】
0003593714.tif 000007
【図７】
0003593714.tif 000008
【図８】
0003593714.tif 000009
【図９】
0003593714.tif 000010
【図１０】
0003593714.tif 000011
【図１１】
0003593714.tif 000012
【図１２】
0003593714.tif 000013
【図１３】
0003593714.tif 000014
【図１４】
0003593714.tif 000015
【図１５】
0003593714.tif 000016
【図１６】
0003593714.tif 000017
【図１７】
0003593714.tif 000018
【図１８】
0003593714.tif 000019
【図１９】
0003593714.tif 000020
【図２０】
0003593714.tif 000021
【図２１】
0003593714.tif 000022
【図２２】
0003593714.tif 000023
【図２３】
0003593714.tif 000024
【図２４】
0003593714.tif 000025
【図２５】
0003593714.tif 000026
【図２６】
0003593714.tif 000027
【図２７】
0003593714.tif 000028
【図２８】
0003593714.tif 000029
【図２９】
0003593714.tif 000030
【図３０】
0003593714.tif 000031
【図３１】
0003593714.tif 000032